(57)【要約】【課題】適切なエラー通知を画像出力装置から発することで、画像診断システム全体としての作業効率を改善する。【解決手段】画像診断装置から供給される画像データに応じた画像を記録媒体に記録して出力する画像出力装置であって、複数のトレイのそれぞれに異なる種類の記録媒体を装填可能な記録媒体保持手段と、前記記録媒体保持手段の各トレイ内における記録媒体の有無を検出する記録媒体有無検出手段と、前記画像診断装置が使用する記録媒体についての情報である記録媒体情報が設定されており、前記画像診断装置からの問い合わせに応じて、前記記録媒体情報と前記媒体有無検出手段の検出結果とを参照し、画像出力装置の状態を示す状態情報を生成し、問い合わせのあった前記画像診断装置に対して前記状態情報を送出する通信設定手段と、を有することを特徴とする。【選択図】      図１
2004229790.tif 000002
【特許請求の範囲】
【請求項１】
画像診断装置から供給される画像データに応じた画像を記録媒体に記録して出力する画像出力装置であって、
複数のトレイのそれぞれに異なる種類の記録媒体を装填可能な記録媒体保持手段と、
前記記録媒体保持手段の各トレイ内における記録媒体の有無を検出する記録媒体有無検出手段と、
前記画像診断装置が使用する記録媒体についての情報である記録媒体情報が設定されており、前記画像診断装置からの問い合わせに応じて、前記記録媒体情報と前記媒体有無検出手段の検出結果とを参照し、画像出力装置の状態を示す状態情報を生成し、問い合わせのあった前記画像診断装置に対して前記状態情報を送出する通信設定手段と、
を有することを特徴とする画像出力装置。
【請求項２】
前記通信設定手段は、前記記録媒体有無検出手段の検出結果により、問い合わせをしてきた画像診断装置が使用する記録媒体が存在しない場合には、前記状態情報としてエラー通知を送出する、
ことを特徴とする請求項１記載の画像出力装置。
【請求項３】
前記通信設定手段は、画像診断装置との接続に用いられるチャネル毎に対応付けられたチャネル設定手段を備え、各チャネル設定手段に、チャネル毎の画像診断装置が使用する記録媒体に関する記録媒体情報が設定されている、
ことを特徴とする請求項１または請求項２のいずれかに記載の画像出力装置。
【請求項４】
前記記録媒体有無検出手段は、各トレイに装填された前記記録媒体のサイズ及びタイプを検出する検出することで、前記画像診断装置が使用する記録媒体の有無を検出する、
ことを特徴とする請求項１乃至請求項３のいずれかに記載の画像出力装置。
【請求項５】
画像診断により画像データを生成する画像診断装置と、前記画像診断装置から供給される画像データに応じた画像を記録媒体に記録して出力する画像出力装置とを有する画像診断システムであって、
前記画像出力装置は、
複数のトレイのそれぞれに異なる種類の記録媒体を装填可能な記録媒体保持手段と、
前記記録媒体保持手段の各トレイ内における記録媒体の有無を検出する記録媒体有無検出手段と、
前記画像診断装置が使用する記録媒体についての情報である記録媒体情報が設定されており、前記画像診断装置からの問い合わせに応じて、前記記録媒体情報と前記媒体有無検出手段の検出結果とを参照し、画像出力装置の状態を示す状態情報を生成し、問い合わせのあった前記画像診断装置に対して前記状態情報を送出する通信設定手段と、
を有することを特徴とする画像診断システム。
【請求項６】
前記画像出力装置は、前記記録媒体有無検出手段の検出結果により、問い合わせをしてきた画像診断装置が使用する記録媒体が存在しない場合には、前記状態情報としてエラー通知を送出する通信設定手段を備える、
ことを特徴とする請求項５記載の画像診断システム。
【請求項７】
前記画像出力装置は、画像診断装置との接続に用いられるチャネル毎に対応付けられたチャネル設定手段を備え、各チャネル設定手段に、チャネル毎の画像診断装置が使用する記録媒体に関する記録媒体情報が設定されている通信設定手段を備える、
ことを特徴とする請求項５または請求項６のいずれかに記載の画像診断システム。
【請求項８】
前記画像出力装置は、各トレイに装填された前記記録媒体のサイズ及びタイプを検出する検出することで、前記画像診断装置が使用する記録媒体の有無を検出する、記録媒体有無検出手段を備える、
ことを特徴とする請求項５乃至請求項７のいずれかに記載の画像診断システム。
【発明の詳細な説明】
【０００１】
【発明の属する技術分野】
本発明は画像診断によって得られた画像データをフィルム等の記録媒体に記録して出力する画像出力装置、およびこのような画像出力装置を有する画像診断システムに関する。
【０００２】
【従来の技術】
従来、例えば、Ｘ線等の放射線を利用したＸ線撮影装置、ＲＩ（Ｒａｄｉｏ  Ｉｓｏｔｏｐｅ）装置、ＣＲ（Ｃｏｍｐｕｔｅｄ  Ｒａｄｉｏｇｒａｐｈｙ）装置、ＣＴ（Ｃｏｍｐｕｔｅｄ  Ｔｏｍｏｇｒａｐｈｙ）装置、超音波を利用した超音波撮影装置、核磁気共鳴現象を利用したＭＲＩ（Ｍａｇｎｅｔｉｃ  Ｒｅｓｏｎａｎｃｅ  Ｉｍａｇｉｎｇ）装置等の各種の画像診断装置によって撮影して得られた被写体の画像データに基づき、被写体の画像を記録材料であるフィルムに可視像として出力させる画像出力装置や画像診断システムが知られている。この種の画像出力装置や画像診断システムについては、例えば、以下の特許文献１などに記載されている。
【０００３】
これら画像診断システムにおいては、各種画像診断装置によって撮影された画像データや、この画像データをフィルムに記録するための各種指定情報等がネットワークを介して画像出力装置に送信される。
【０００４】
最近では、医療業界で標準化されているプロトコルであるＤＩＣＯＭ（Ｄｉｇｉｔａｌ  Ｉｍａｇｅ  ａｎｄ  Ｃｏｍｍｕｎｉｃａｔｉｏｎ  ｉｎ  Ｍｅｄｉｃｉｎｅ）を用いて画像データの授受が行われることが多くなってきている。
【０００５】
このような場合、画像出力装置で記録媒体として使用されるフィルムは、画像診断装置別等により、出力フィルムサイズ及びタイプを切り替えて使われることが多い。そのため、画像出力装置では、複数種類のフィルムが装填できるように複数のトレイを備えることが多い。
【０００６】
そして、画像出力装置の複数のトレイうち、あるトレイが用紙切れになった場合には、画像出力装置の装置状態としてエラー状態となる。
【０００７】
このように画像出力装置がエラー状態となった場合、画像診断装置からＤＩＣＯＭを用いて次の画像を送信しようとすると、エラー通知の通知が画像出力装置から画像診断装置になされる。これにより、画像診断装置は撮影動作を中止するようになっている。
【０００８】
【特許文献１】
特開平１０−１９１１６５号公報（第１頁〜２頁）
【０００９】
【発明が解決しようとする課題】
以上のような場合、画像診断装置が使用するフィルムのサイズや種類に関係なく、画像出力装置で一つでも用紙切れになったトレイが存在する場合には一律にエラー通知を画像診断装置に送るようになっていた。
【００１０】
このため、本来は画像出力が可能であるにもかかわらず、エラー通知によって画像出力が停止し、さらには、画像診断装置の診断動作（撮影動作）まで停止してしまう事態に発展していた。
【００１１】
すなわち、エラー通知が画像出力装置から画像診断装置に送られると、その度、画像診断装置側で撮影が中止となるため、画像診断システム全体としての作業効率が悪くなる問題があった。
【００１２】
本発明は以上の問題点に鑑みてなされたものであって、適切なエラー通知を画像出力装置から発することで、画像診断システム全体としての作業効率を改善可能な画像出力装置を実現することを目的とする。
【００１３】
また、本発明は以上の問題点に鑑みてなされたものであって、適切なエラー通知を画像出力装置から発することで、画像診断システム全体としての作業効率を改善可能な画像診断システムを実現することを目的とする。
【００１４】
【課題を解決するための手段】
すなわち、上述した課題を解決する本発明は、以下に述べるものである。
【００１５】
（１）請求項１記載の発明は、画像診断装置から供給される画像データに応じた画像を記録媒体に記録して出力する画像出力装置であって、複数のトレイのそれぞれに異なる種類の記録媒体を装填可能な記録媒体保持手段と、前記記録媒体保持手段の各トレイ内における記録媒体の有無を検出する記録媒体有無検出手段と、前記画像診断装置が使用する記録媒体についての情報である記録媒体情報が設定されており、前記画像診断装置からの問い合わせに応じて、前記記録媒体情報と前記媒体有無検出手段の検出結果とを参照し、画像出力装置の状態を示す状態情報を生成し、問い合わせのあった前記画像診断装置に対して前記状態情報を送出する通信設定手段と、を有することを特徴とする画像出力装置である。
【００１６】
また、請求項５記載の発明は、画像診断により画像データを生成する画像診断装置と、前記画像診断装置から供給される画像データに応じた画像を記録媒体に記録して出力する画像出力装置とを有する画像診断システムであって、前記画像出力装置は、複数のトレイのそれぞれに異なる種類の記録媒体を装填可能な記録媒体保持手段と、前記記録媒体保持手段の各トレイ内における記録媒体の有無を検出する記録媒体有無検出手段と、前記画像診断装置が使用する記録媒体についての情報である記録媒体情報が設定されており、前記画像診断装置からの問い合わせに応じて、前記記録媒体情報と前記媒体有無検出手段の検出結果とを参照し、画像出力装置の状態を示す状態情報を生成し、問い合わせのあった前記画像診断装置に対して前記状態情報を送出する通信設定手段と、を有することを特徴とする画像診断システムである。
【００１７】
これらの発明では、画像診断により画像データを生成する画像診断装置と、前記画像診断装置から供給される画像データに応じた画像を記録媒体に記録して出力する画像出力装置とを有する画像診断システムにて、画像出力装置では、複数のトレイのそれぞれに異なる種類の記録媒体が装填可能であり、画像診断装置が使用する記録媒体についての情報である記録媒体情報が設定されており、記録媒体保持手段の各トレイ内における記録媒体の有無を検出する。そして、画像診断装置からの問い合わせに応じて画像出力装置は、記録媒体情報と媒体有無検出手段の検出結果とを参照し、画像出力装置の状態を示す状態情報を生成し、問い合わせのあった前記画像診断装置に対して前記状態情報を送出する。
【００１８】
この結果、画像出力装置に装填されている記録媒体のいずれかが無くなったとしても、その無くなった記録媒体を使用予定の画像診断装置に対して適切な状態情報を画像出力装置から発することで、他の画像診断装置の動作を停止させることがなくなり、画像診断システム全体としての作業効率を改善可能な画像出力装置および画像診断システムを実現することができる。
【００１９】
（２）請求項２記載の発明は、前記通信設定手段は、前記記録媒体有無検出手段の検出結果により、問い合わせをしてきた画像診断装置が使用する記録媒体が存在しない場合には、前記状態情報としてエラー通知を送出する、ことを特徴とする請求項１記載の画像出力装置である。
【００２０】
また、請求項６記載の発明は、前記画像出力装置は、前記記録媒体有無検出手段の検出結果により、問い合わせをしてきた画像診断装置が使用する記録媒体が存在しない場合には、前記状態情報としてエラー通知を送出する通信設定手段を備える、ことを特徴とする請求項５記載の画像診断システムである。
【００２１】
これらの発明では、上記（１）において、画像出力装置は、記録媒体有無検出手段の検出結果により、問い合わせをしてきた画像診断装置が使用する記録媒体が存在しない場合に、状態情報としてエラー通知を生成して通知する。
【００２２】
この結果、画像出力装置に装填されている記録媒体のいずれかが無くなったとしても、その無くなった記録媒体を使用予定の画像診断装置に対して適切なエラー通知を画像出力装置から発することで、他の画像診断装置の動作を停止させることがなくなり、画像診断システム全体としての作業効率を改善可能な画像出力装置および画像診断システムを実現することができる。
【００２３】
（３）請求項３記載の発明は、前記通信設定手段は、画像診断装置との接続に用いられるチャネル毎に対応付けられたチャネル設定手段を備え、各チャネル設定手段に、チャネル毎の画像診断装置が使用する記録媒体に関する記録媒体情報が設定されている、ことを特徴とする請求項１または請求項２のいずれかに記載の画像出力装置である。
【００２４】
また、請求項７記載の発明は、前記画像出力装置は、画像診断装置との接続に用いられるチャネル毎に対応付けられたチャネル設定手段を備え、各チャネル設定手段に、チャネル毎の画像診断装置が使用する記録媒体に関する記録媒体情報が設定されている通信設定手段を備える、ことを特徴とする請求項５または請求項６のいずれかに記載の画像診断システムである。
【００２５】
これらの発明では、上記（１）または（２）において、画像出力装置は、画像診断装置との接続に用いられるチャネル毎に画像診断装置が使用する記録媒体に関する記録媒体情報が設定されている。
【００２６】
この結果、画像出力装置に装填されている記録媒体のいずれかが無くなったとしても、その無くなった記録媒体を使用予定の画像診断装置に対して、接続されているチャネル毎に、適切なエラー通知を画像出力装置から発することができるようになる。このため、他の画像診断装置の動作を停止させることがなくなり、画像診断システム全体としての作業効率を改善可能な画像出力装置および画像診断システムを実現することができる。
【００２７】
（４）請求項４記載の発明は、前記記録媒体有無検出手段は、各トレイに装填された前記記録媒体のサイズ及びタイプを検出する検出することで、前記画像診断装置が使用する記録媒体の有無を検出する、ことを特徴とする請求項１乃至請求項３のいずれかに記載の画像出力装置である。
【００２８】
また、請求項８記載の発明は、前記画像出力装置は、各トレイに装填された前記記録媒体のサイズ及びタイプを検出する検出することで、前記画像診断装置が使用する記録媒体の有無を検出する、記録媒体有無検出手段を備える、ことを特徴とする請求項５乃至請求項７のいずれかに記載の画像診断システムである。
【００２９】
これらの発明では、上記（１）〜（３）において、画像出力装置は、各トレイに装填された記録媒体のサイズ及びタイプを検出する検出することで、画像診断装置が使用する記録媒体の有無を検出する。
【００３０】
この結果、画像出力装置に装填されている記録媒体のいずれかが無くなったとしても、その無くなった記録媒体を使用予定の画像診断装置に対して、使用予定の記録媒体のサイズおよびタイプに応じて、適切なエラー通知を画像出力装置から発することができるようになる。このため、他の画像診断装置の動作を停止させることがなくなり、画像診断システム全体としての作業効率を改善可能な画像出力装置および画像診断システムを実現することができる。
【００３１】
【発明の実施の形態】
以下、図面を参照して本発明の実施の形態について詳細に説明する。なお、本発明は、以下に示す実施の形態に記載された具体例などの内容や数値に限定されるものではない。
【００３２】
〈第１の実施の形態例の画像出力装置〉
図１は本願発明の第１の実施の形態例である画像診断システム１の全体構成および、画像出力装置１００の機能ブロックを説明するブロック図である。
【００３３】
ここで、画像診断システム１は、画像診断装置１０と、画像出力装置１００とに大きくわけることができる。
【００３４】
ここで、画像診断装置１０としては、ＣＴ（Ｃｏｍｐｕｔｅｄ  Ｔｏｍｏｇｒａｐｈｙ）装置１１、核磁気共鳴現象を利用したＭＲＩ（Ｍａｇｎｅｔｉｃ  Ｒｅｓｏｎａｎｃｅ  Ｉｍａｇｉｎｇ）装置１２、ＣＲ（Ｃｏｍｐｕｔｅｄ  Ｒａｄｉｏｇｒａｐｈｙ）装置１３を一例として示しているが、これに限定されず、画像診断によって画像データを生成する各種の装置が該当する。
【００３５】
なお、画像診断装置１０のそれぞれは、画像データを画像出力装置１００に送信したり、或いは画像出力装置１００からの状態情報（エラー通知／正常通知）を受信する機能を有している。また、画像診断装置１０のそれぞれは、制御部（図示せず）を有しており、画像出力装置１００から送信された状態情報（エラー通知／正常通知）の入力に基づいて、撮像部（図示せず）による撮像動作を停止する制御を行う。
【００３６】
また、図１に示すように、画像診断システム１は、画像診断装置１０と画像出力装置１００とは、接続ケーブルなどにより電気的に接続された状態になっている。
【００３７】
そして、画像出力装置１００は、画像診断装置１０から供給される画像データに応じた画像を記録媒体に記録して出力する画像出力装置であって、複数のトレイのそれぞれに異なる種類の記録媒体を装填可能な記録媒体保持手段（トレイ１４０）と、前記記録媒体保持手段の各トレイ内における記録媒体の有無を検出する記録媒体有無検出手段（エンプティ検出手段１５０）と、前記画像診断装置が使用する記録媒体についての情報である記録媒体情報が設定されており、前記画像診断装置からの問い合わせに応じて、前記記録媒体情報と前記媒体有無検出手段の検出結果とを参照し、画像出力装置の状態を示す状態情報を生成し、問い合わせのあった前記画像診断装置に対して前記状態情報を送出する通信設定手段１１０と、を有することを特徴としている。
【００３８】
画像出力装置１００は、画像出力装置１００を統括制御し、各種処理および判断等を行う制御手段１０１を備えており、その制御手段１０１には、エンプティ検出手段１５０、操作手段１６０、表示手段１７０、記憶手段１８０、通信設定手段１１０等がバスなどを介して接続されている。
【００３９】
制御手段１０１は、図示しないが、制御、判断等各種処理用の各種プログラムや、各種データが記録、格納されたＲＯＭと、各種処理におけるワークメモリとして使用されるＲＡＭとを有して構成されている。
【００４０】
この制御手段１０１は、エンプティ検出手段１５０等の検出結果等に基づく制御、判断等各種処理を行い、また、表示手段１７０における各フィルムのサイズ及びタイプ設定表示や、その他各種の表示の制御等を行う。
【００４１】
ここで、フィルムのサイズとは、例えば、半切、大四、大角、四切、六切等の各種サイズをいう。また、フィルムのタイプとは、例えば、ベース色の違い等をいう。
【００４２】
また、制御手段１０１は、エンプティ検出手段１５０の検出結果に基づく各トレイにおけるフィルムの有無の判断等に基づき、トレイへのフィルムの補給を促すメッセージ表示等を表示手段１７０に表示させる制御を行う。
【００４３】
また、制御手段１０１は、トレイ指定手段として、画像診断装置１０から入力された画像データを出力するためのフィルムを供給するトレイを指定する処理を行う。
【００４４】
この際、制御手段１０１は、特定手段として、記憶手段１８０に記憶された各トレイのフィルムデータに基づいて、画像データを出力するためのフィルムと同一サイズ及びタイプのフィルムが装填されているトレイを指定可能トレイとして特定する。
【００４５】
また、制御手段１０１は、エンプティ検出手段１５０による検出結果に基づいて、各トレイについてのエンプティ情報（各トレイにフィルムが存在しているか否かの情報）を生成する処理を行う。そして、制御手段１０１は、必要に応じて、作成したエンプティ情報を通信設定手段１１０に供給する。
【００４６】
１１０は通信設定手段であり、画像診断装置１０が使用する記録媒体についての情報である記録媒体情報が設定されており、前記画像診断装置からの問い合わせに応じて、前記記録媒体情報と、エンプティ検出手段１５０の検出結果により制御手段１０１で生成されたエンプティ情報とを参照し、画像出力装置の状態を示す状態情報（エラー通知／正常通知）を生成し、問い合わせのあった前記画像診断装置に対して前記状態情報を送出する。
【００４７】
なお、通信設定手段１１０は、画像診断装置との接続に用いられるチャネル毎に対応付けられたチャネル設定手段１１１〜１１３を備え、各チャネル設定手段に、チャネル毎の画像診断装置が使用する記録媒体に関する記録媒体情報が設定されている。
【００４８】
すなわち、通信設定手段１１０は、エンプティ検出手段１５０の検出結果に基づいて制御手段１０１にて生成されたエンプティ情報により、問い合わせをしてきた画像診断装置が使用する記録媒体が存在しない場合には、前記状態情報としてエラー通知を送出する。また、エンプティ検出手段１５０による検出結果に基づいて制御手段１０１で生成されたエンプティ情報に基づいて、問い合わせをしてきた画像診断装置が使用するフィルムが存在する場合には、状態情報として正常通知を送出する。
【００４９】
１２０は画像処理手段であり、画像診断装置１０から送られてきた画像データについて、必要な画像処理を施し、画像記録用の画像データを生成するものである。
【００５０】
１３０は画像処理手段１２０で処理された画像データを受けて、トレイ手段１４０から供給される記録媒体となるフィルムに画像を記録して出力する画像形成手段である。
【００５１】
１４０は、複数のトレイのそれぞれに異なる種類の記録媒体を装填可能な記録媒体保持手段であり、ここでは、複数のトレイ＃１、トレイ＃２、トレイ＃３・・・を備える例を図示している。
【００５２】
１５０は、記録媒体有無検出手段としてのエンプティ検出手段１５０であり、具体的には、各トレイの給紙位置における用紙の有無や、給紙可能な状態であるかどうかを検知するように構成された、例えば、フォトセンサ等の各種センサと検出回路とを備えて構成されている。そして、各トレイの給紙位置における用紙の有無や、給紙可能な状態であるか／ないか等を、検出結果を制御手段１０１に出力する。
【００５３】
１６０は、画像出力装置１００の設定や運転動作指示などのオペレータからの各種入力をするように構成された操作手段であり、例えば、キー入力部、リモコン等が該当する。
【００５４】
１７０は、例えば、ＬＣＤなどにより構成された表示手段であり、その表示画面に画像出力装置１００の設定、機能、運転状態等を表示する。なお、操作手段１６０が、タッチパネルである場合、表示手段１７０は操作手段１６０の機能を兼ね備える構成となる。
【００５５】
１８０は、記憶手段であり、プログラムやデータが予め記憶された記録媒体（図示省略）有している。この記録媒体は、磁気的、光学的記録媒体、もしくは半導体メモリで構成され、記憶部１６に固定的に設けられるもの、若しくは着脱自在に装着するものである。すなわち、記憶手段１８０には、各トレイに装填されたフィルムのサイズ及びタイプが記憶されている。
【００５６】
次に、以上のように構成された画像診断システム１における画像記録出力処理について、図２のフローチャートを用いて説明する。この図２のフローチャートでは、画像診断装置１０側の処理をＳ１１〜Ｓ１８として示し、画像出力装置１００側の処理をＳ２１〜Ｓ２７として示している。
【００５７】
図２に示すように、まず、画像診断装置１０の撮像部（図示せず）は、被写体を撮像（図２Ｓ１１）することにより、被写体の撮像部位に応じた画像データを生成する（図２Ｓ１２）。
【００５８】
次いで、画像診断装置１０は、撮像により生成した画像データを画像出力装置１００に送信する前に、接続されたチャネルを通して問い合わせ送信を行う（図２Ｓ１３）。この問い合わせ送信としては、画像出力装置１００側の状態を問い合わせ、状態情報（エラー通知／正常通知）の返信を求める送信である。
【００５９】
この問い合わせを受信した（図２Ｓ２１）画像出力装置１００では、エンプティ検出処理を実行する（図２Ｓ２２）。すなわち、制御手段１０１は、エンプティ検出手段１５０による検出結果に基づいて、各トレイについてのエンプティ情報（各トレイにフィルムが存在しているか否かの情報）を生成する。
【００６０】
そして、通信設定手段１１０内の、画像診断装置１０のいずれかから問い合わせ送信を受信したチャネル設定手段は、制御手段１０１からのエンプティ情報と、該チャネル設定手段に設定されているチャネル毎の画像診断装置が使用する記録媒体情報とを参照し、問い合わせをしてきた画像診断装置が使用するフィルムが存在する場合（図２Ｓ２３でＮ）には、前記状態情報として正常通知を送出する（図２Ｓ２４）。
【００６１】
また、問い合わせをしてきた画像診断装置が使用するフィルムが存在しない場合（図２Ｓ２３でＹ）には、前記状態情報としてエラー通知を送出する（図２Ｓ２５）。なお、制御手段１０１は、フィルムが供給可能な状態で装填されていないと判断した場合には、フィルムが装填していない旨を報知する表示を表示手段１７０に表示させる。
【００６２】
以上のようにして画像出力装置１００から送出された正常通知あるいはエラー通知は、問い合わせ送信を行った画像診断装置１０に対して送られる。すなわち、問い合わせ送信を行った画像診断装置１０は、状態情報（エラー通知／正常通知）の返信を受領する（図２Ｓ１４）。
【００６３】
ここで、画像診断装置１０側では、正常通知を受領した場合には（図２Ｓ１５でＮ）、撮像により生成（図２Ｓ１２）した画像データを、画像出力装置１００に対して送信する（図２Ｓ１６）。
【００６４】
このようにして送信された画像データを受信（図２Ｓ２６）した画像出力装置１００は、画像処理手段１２０で必要な画像処理を施した後に画像形成手段１３０にてフィルム上に画像を形成して出力する（図２Ｓ２７）。
【００６５】
また、画像データの送信を行った画像診断装置１０では、次の撮像がある場合には（図２Ｓ１７でＹ）撮像に戻り（図２▲１▼→Ｓ１１）、次の撮像がない場合には（図２Ｓ１７でＮ）処理を終了する。
【００６６】
ここで、画像診断装置１０側では、エラー通知を受領した場合には（図２Ｓ１５でＹ）、撮像部（図示せず）による画像撮像動作を停止し（図２Ｓ１８）、本処理を終了する。
【００６７】
なお、この実施の形態例では、各チャネル設定手段が独立しており、それぞれの画像診断装置と対応関係になるように接続されているため、問い合わせ送信をしてきた画像診断装置にのみ正常通知あるいはエラー通知を発することができる。すなわち、問い合わせ送信をしてこない画像診断装置に対してエラー通知を送ることはないため、画像診断装置側で無駄な停止が発生することはなくなる。このため、画像診断システムとして、効率の良い動作を確保することができる。
【００６８】
以上説明したように、本実施の形態例によれば、以下の（１）〜（４）に列記するような効果を得ることが可能になる。
【００６９】
（１）以上の実施の形態例では、画像診断により画像データを生成する画像診断装置と、前記画像診断装置から供給される画像データに応じた画像をフィルムに記録して出力する画像出力装置とを有する画像診断システムにて、画像出力装置では、複数のトレイのそれぞれに異なる種類のフィルムが装填可能であり、画像診断装置が使用するフィルムについての情報であるフィルム情報が設定されており、フィルム保持手段の各トレイ内におけるフィルムの有無を検出する。そして、画像診断装置からの問い合わせに応じて画像出力装置は、フィルム情報と媒体有無検出手段の検出結果とを参照し、画像出力装置の状態を示す状態情報を生成し、問い合わせのあった前記画像診断装置に対して前記状態情報を送出する。
【００７０】
この結果、画像出力装置に装填されているフィルムのいずれかが無くなったとしても、その無くなったフィルムを使用予定の画像診断装置に対して適切な状態情報を画像出力装置から発することで、他の画像診断装置の動作を停止させることがなくなり、画像診断システム全体としての作業効率を改善可能な画像出力装置および画像診断システムを実現することができる。
【００７１】
（２）以上の実施の形態例では、上記（１）において、画像出力装置は、フィルム有無検出手段の検出結果により、問い合わせをしてきた画像診断装置が使用するフィルムが存在しない場合に、状態情報としてエラー通知を生成して通知する。
【００７２】
この結果、画像出力装置に装填されているフィルムのいずれかが無くなったとしても、その無くなったフィルムを使用予定の画像診断装置に対して適切なエラー通知を画像出力装置から発することで、他の画像診断装置の動作を停止させることがなくなり、画像診断システム全体としての作業効率を改善可能な画像出力装置および画像診断システムを実現することができる。
【００７３】
（３）以上の実施の形態例では、上記（１）または（２）において、画像出力装置は、画像診断装置との接続に用いられるチャネル毎に画像診断装置が使用するフィルムに関するフィルム情報が設定されている。
【００７４】
この結果、画像出力装置に装填されているフィルムのいずれかが無くなったとしても、その無くなったフィルムを使用予定の画像診断装置に対して、接続されているチャネル毎に、適切なエラー通知を画像出力装置から発することができるようになる。このため、他の画像診断装置の動作を停止させることがなくなり、画像診断システム全体としての作業効率を改善可能な画像出力装置および画像診断システムを実現することができる。
【００７５】
（４）以上の実施の形態例では、上記（１）〜（３）において、画像出力装置は、各トレイに装填されたフィルムのサイズ及びタイプを検出する検出することで、画像診断装置が使用するフィルムの有無を検出する。
【００７６】
この結果、画像出力装置に装填されているフィルムのいずれかが無くなったとしても、その無くなったフィルムを使用予定の画像診断装置に対して、使用予定のフィルムのサイズおよびタイプに応じて、適切なエラー通知を画像出力装置から発することができるようになる。このため、他の画像診断装置の動作を停止させることがなくなり、画像診断システム全体としての作業効率を改善可能な画像出力装置および画像診断システムを実現することができる。
【００７７】
〈その他の実施の形態例〉
なお、本発明に係る画像診断システム及び画像出力装置は、上記した実施の形態の具体例の記載にかかるものに限るものではなく、本発明の目的及び効果を奏する範囲内での変更は可能である。
【００７８】
たとえば、チャネル設定手段が各種画像診断装置１０に対して１対１に対応していなくともよい。この場合、ＣＴ装置、ＭＲＩ装置、ＣＲ装置などの装置種別毎に、チャネル設定手段に接続されていてもよい。このような場合には、装置種別毎に使用するフィルムのサイズやタイプが決定されている場合が多いため、装置種別毎に状態情報を生成することが可能になる。
【００７９】
また、画像診断装置１０と画像出力装置１００とがチャネル毎にケーブルなどで接続されておらず、ネットワーク接続されている場合にも、本願発明を適用することが可能である。このようにネットワーク接続された場合には、画像診断装置１０のＩＰアドレスを参照することによって、エンプティ検出に応じて、問い合わせのあった画像診断装置に適した状態情報の生成を行うことが可能になる。
【００８０】
【発明の効果】
以上実施の形態例により説明したように、以下のような効果が得られる。
【００８１】
（１）第１の発明では、画像診断により画像データを生成する画像診断装置と、前記画像診断装置から供給される画像データに応じた画像を記録媒体に記録して出力する画像出力装置とを有する画像診断システムにて、画像出力装置では、複数のトレイのそれぞれに異なる種類の記録媒体が装填可能であり、画像診断装置が使用する記録媒体についての情報である記録媒体情報が設定されており、記録媒体保持手段の各トレイ内における記録媒体の有無を検出する。そして、画像診断装置からの問い合わせに応じて画像出力装置は、記録媒体情報と媒体有無検出手段の検出結果とを参照し、画像出力装置の状態を示す状態情報を生成し、問い合わせのあった前記画像診断装置に対して前記状態情報を送出する。この結果、画像出力装置に装填されている記録媒体のいずれかが無くなったとしても、その無くなった記録媒体を使用予定の画像診断装置に対して適切な状態情報を画像出力装置から発することで、他の画像診断装置の動作を停止させることがなくなり、画像診断システム全体としての作業効率を改善可能な画像出力装置および画像診断システムを実現することができる。
【００８２】
（２）第２の発明では、上記（１）において、画像出力装置は、記録媒体有無検出手段の検出結果により、問い合わせをしてきた画像診断装置が使用する記録媒体が存在しない場合に、状態情報としてエラー通知を生成して通知する。この結果、画像出力装置に装填されている記録媒体のいずれかが無くなったとしても、その無くなった記録媒体を使用予定の画像診断装置に対して適切なエラー通知を画像出力装置から発することで、他の画像診断装置の動作を停止させることがなくなり、画像診断システム全体としての作業効率を改善可能な画像出力装置および画像診断システムを実現することができる。
【００８３】
（３）第３の発明では、上記（１）または（２）において、画像出力装置は、画像診断装置との接続に用いられるチャネル毎に画像診断装置が使用する記録媒体に関する記録媒体情報が設定されている。この結果、画像出力装置に装填されている記録媒体のいずれかが無くなったとしても、その無くなった記録媒体を使用予定の画像診断装置に対して、接続されているチャネル毎に、適切なエラー通知を画像出力装置から発することができるようになる。このため、他の画像診断装置の動作を停止させることがなくなり、画像診断システム全体としての作業効率を改善可能な画像出力装置および画像診断システムを実現することができる。
【００８４】
（４）第４の発明では、上記（１）〜（３）において、画像出力装置は、各トレイに装填された記録媒体のサイズ及びタイプを検出する検出することで、画像診断装置が使用する記録媒体の有無を検出する。この結果、画像出力装置に装填されている記録媒体のいずれかが無くなったとしても、その無くなった記録媒体を使用予定の画像診断装置に対して、使用予定の記録媒体のサイズおよびタイプに応じて、適切なエラー通知を画像出力装置から発することができるようになる。このため、他の画像診断装置の動作を停止させることがなくなり、画像診断システム全体としての作業効率を改善可能な画像出力装置および画像診断システムを実現することができる。
【図面の簡単な説明】
【図１】本発明の実施の形態の画像診断システムと画像出力装置の電気的構成を示すブロック図である。
【図２】本発明の実施の形態の画像診断システムと画像出力装置の動作状態を示すフローチャートである。
【符号の説明】
１  画像診断システム
１０  画像診断装置
１１  ＣＴ装置（画像診断装置）
１２  ＭＲＩ装置（画像診断装置）
１３  ＣＲ装置（画像診断装置）
１００  画像出力装置
１０１  制御手段
１１０  通信設定手段
１２０  画像処理手段
１３０  画像形成手段
１４０  トレイ手段
１５０  エンプティ検出手段
１６０  操作手段
１７０  表示手段
１８０  記憶手段
【図１】
2004229790.tif 000003
【図２】
2004229790.tif 000004